(57)【特許請求の範囲】
【請求項１】
折り線を介して一方向に複数枚の第１〜第ｎ用紙片が連接され、第１用紙片を内側にして各用紙片が巻き折られ、第ｎ用紙片が第ｎ−２用紙片に対して接着されて封止されたリーフレットと、
第ｎ−１用紙片の一辺に、前記リーフレットの長手方向と直交する方向に延設され、ボトルネックから吊り下げ可能に孔が形成された吊り下げ片とを備えており、
第ｎ用紙片には、前記リーフレットの長手方向と直交する方向に、リーフレットを開封するためのジッパーが形成され、
第１用紙片、第２用紙片、及び第３用紙片の一部を用いて切り取り可能なハガキ領域が形成され、
前記ハガキ領域には、宛て先及び発送者記入欄が印刷されており、前記ハガキ領域以外のリーフレットには、宣伝・広告が印刷されていることを特徴とするボトルネッカー。
【請求項２】
折り線を介して一方向に複数枚の第１〜第ｎ用紙片が連接され、第１用紙片を内側にして各用紙片が巻き折られ、封止してなるリーフレットと、
前記リーフレットに延設され、ボトルネックから吊り下げ可能に孔が形成された吊り下げ片とを備えており、
前記リーフレットには、開封するためのジッパーが形成されており、
前記リーフレットには、前記リーフレットの長手方向と同一方向に長手方向を有し、複数の用紙片によって構成される切り取り可能なハガキ領域が形成されて、前記リーフレットの短辺幅と前記ハガキ領域の短辺幅が一致していることを特徴とするボトルネッカー。
【請求項３】
少なくとも第ｎ用紙片又は第ｎ−１用紙片の目視可能な面には、宣伝・広告が印刷されていることを特徴とする請求項１あるいは２に記載のボトルネッカー。
【発明の詳細な説明】
【０００１】
【発明の属する技術分野】
本発明は、宣伝、広告用に使用されるボトルネッカーに関する。
【０００２】
【従来の技術】
従来のボトルネッカーは、新製品の販売促進のための宣伝、キャンペーンを進める一環として、ＰＯＰ広告（購買時点広告）的に新商品のボトルネックに取り付けて使用され、店頭におけるアイキャッチ効果を高め、また消費者に対する情報提供の役割を果している。
形式的には、一枚の用紙からなるものが多いが、ジグザグ折りしたままの複数ページからなるものもある。
【０００３】
【発明が解決しようとする課題】
しかしながら、これまでのボトルネッカーは、消費者に情報を一方的に伝達するだけの機能に終始していて、消費者の当該新商品に関する購入の動機、嗜好、セールスキャンペーンの一環として行うイベントや懸賞への参加希望、さらなる要望等の消費者側からの情報の伝達手段は全く配慮されていないという問題があった。
本発明は、前述の問題点に鑑みてなされたもので、一部を切り取れば直ぐハガキになり、双方向の情報伝達を可能とするボトルネッカーの提供を目的とする。
【０００４】
【課題を解決するための手段】
前記課題を解決するために本発明に係るボトルネッカーは、折り線を介して一方向に複数枚の第１〜第ｎ用紙片が連接され、第１用紙片を内側にして各用紙片が巻き折られ、第ｎ用紙片が第ｎ−２用紙片に対して接着されて封止されたリーフレットと、第ｎ−１用紙片の一辺に、前記リーフレットの長手方向と直交する方向に延設され、ボトルネックから吊り下げ可能に孔が形成された吊り下げ片とを備えており、第ｎ用紙片には、前記リーフレットの長手方向と直交する方向に、リーフレットを開封するためのジッパーが形成され、第１用紙片、第２用紙片、及び第３用紙片の一部を用いて切り取り可能なハガキ領域が形成され、前記ハガキ領域には、宛て先及び発送者記入欄が印刷されており、前記ハガキ領域以外のリーフレットには、宣伝・広告が印刷されていることを特徴とする。あるいは、本発明に係るボトルネッカーは、折り線を介して一方向に複数枚の第１〜第ｎ用紙片が連接され、第１用紙片を内側にして各用紙片が巻き折られ、封止してなるリーフレットと、前記リーフレットに延設され、ボトルネックから吊り下げ可能に孔が形成された吊り下げ片とを備えており、前記リーフレットには、開封するためのジッパーが形成されており、前記リーフレットには、前記リーフレットの長手方向と同一方向に長手方向を有し、複数の用紙片によって構成される切り取り可能なハガキ領域が形成されて、前記リーフレットの短辺幅と前記ハガキ領域の短辺幅が一致していることを特徴とする。ここで、少なくとも第ｎ用紙片又は第ｎ−１用紙片の目視可能な面には、宣伝・広告が印刷されているとよい。
【０００５】
【発明の実施の形態】
本発明に係るボトルネッカーの好適な実施形態を図面により詳細に説明する。図１は、ボトルネッカー２０の使用状態説明図である。ボトルネッカー２０は、ボトルＢのボトルネックから吊り下げられて使用される。無論、ボトルネッカー２０のサイズは、ボトルの大きさに応じて適宜変更される。
【０００６】
図２は、第１実施例によるボトルネッカーのブランク展開図である。図２（ａ）はブランクの表面図であり、図２（ｂ）は、ブランクの裏面図である。ボトルネッカーのブランク１０は、図２に示すように、第１〜第５の用紙片をこの順に折り線ａ〜ｄを介して一方向に連接してなるリーフレット構成部Ｒ（以下リーフレットＲと称する）に加えてさらに、ボトルネッカーの正面になる用紙片４の一辺に打ち抜き孔８を有する吊り下げ片７を折り線ｅを介して連接してなるものである。この吊り下げ片５はリーフレットＲをボトルネックから吊り下げる吊り下げ手段として機能するものである。吊り下げるという機能だけであれば、どの用紙片に連接してもよいが、図１で示す吊り下げられた状態での外見上、リーフレットＲの最前面にあたる第４用紙片に連接させることが望ましい。
【０００７】
また、ボトルネッカーのブランク１０には、封止されたリーフレットＲを容易に開封することができるジッパー６が設けられる。これは、図２で示すように、第５用紙片に平行な切り込み線ｊによって形成され、これによって第５用紙片を縦方向に引き裂くことができる。また、第５用紙片の表面におけるジッパー６よりも外側の領域は糊代９として使用される部分で、糊代９の対向面９’は第３用紙片にある。第１用紙片、第２用紙片及び第３用紙片の一部は郵便ハガキＨ領域を形成していて、リーフレットＲの開封後、ミシン目ｆによってリーフレットＲからハガキＨを切り取ることができる。一般に、郵便法によって、通常ハガキは、重量が２〜６ｇ、サイズが最大１５．４×１０．７ｃｍ，最小１４×９ｃｍと決められている。従って、大型のリーフレットＲを形成し、用紙片１あるいは用紙片２の大きさが上記最小寸法を越えれば、用紙片１あるいは用紙片２だけをハガキとして利用することもできる。
【０００８】
図２（ａ）に示す第４用紙片とそれに連接されている吊り下げ片７の表面は、最も人目に付く場所で、キャンペーンの名称、キャッチコピー等が印刷される。
用紙片３の表裏両面、用紙片４の裏面、用紙片５のジッパー６より内側の表裏面は、新商品やキャンペーン等のご案内欄、キャンペーン参加、懸賞等への応募要項説明欄、アンケートやクイズの設問欄等に使用することができる。
またハガキＨの裏面にあたる用紙片１、２の裏面は、アンケートやクイズの回答欄、個人の要望、意見等の記入欄等の個人情報記録欄として使用することができる。
【０００９】
図３は、第１実施例によるボトルネッカーの最終形状、組み立て、開封の説明図である。ボトルネッカー２０は、ブランク１０から巻き折りされると図３（ａ）の正面図、図３（ｂ）の裏面図に示すような形状になる。この巻き折りは、図２（ａ）に示すブランク１０を、用紙片１が最も内側になるように巻き折りし、最後に糊代９をその対向面９’で線状に接着すると、図３（ａ）に示すように、用紙片４が表面に、用紙片５が裏面となったボトルネッカー２０が得られる。このような巻き折りは、巻き折り機によって自動的に行うことができる。図３（ｂ）は、図３（ａ）のｘ−ｘ’断面における模式断面図であって、巻き折りされたボトルネッカー２０の状態がこの図からさらに明らかになる。ボトルネッカー２０の開封は、図３（ａ）に示すように、裏面のジッパー６を引き剥がして、巻き折りされたブランク１０を展開すると図３（ｃ）に示すように開封することができ、リーフレットＲの表裏に記載された情報を一覧することができる。最後にハガキＨをミシン目ｆによって切り取って、必要な個人情報を記入の上、切手を貼って投函すればよい。
【００１０】
実施例１によるボトルネッカー２０は、内容量が１８０〜７００ｍｌの比較的小型のボトル用に設計されているものであって、図２（ａ）に示すように、リーフレットＲにおける仕上がり寸法は６８×１００ｍｍであり、吊り下げ片の打ち抜き孔径は３３ｍｍに設定されている。また、ブランク１０を構成する各用紙片の長手方向の寸法は、第１用紙片から第４用紙片に向かうにつれて、折り線間隔が大きくなるように設定されている。その各部寸法は図２（ａ）において示す通りである。
【００１１】
図４は、第２実施例によるボトルネッカーのブランク展開図である。第２実施例は、内容量が７５０〜１８００ｍｌの大型ボトル用に設計されたものである。その各部の寸法は図４に示すように、リーフレットＲの縦寸法は実施例１と同じ１００ｍｍであるが、各用紙片の長手方向の寸法すなわちリーフレットＲの幅が拡がっている。従って、実施例１と異なり、ハガキＨ領域は、第１用紙片と第２用紙片の一部で確保することができ、第１実施例に較べて、全体的に余裕のあるレイアウトが可能となる、また絶対スペースが増えるため、より詳しい情報提供欄を設けることができる。
【００１２】
ボトルネッカー２０に使用する用紙は、適度な剛性があり、鮮明なフルカラー印刷が可能であり、筆記性が良好で、前述の郵便法に適合する範囲の用紙であればいかなるものを使用してもよく、実施例１と実施例２のいずれの場合も、例えばアートポスト系のもので１８０ｇ／ｍ2前後の板紙が好適に使用できる。また、印刷は、これまで公知のいかなる方法によってもよい。
【００１３】
【発明の効果】
本発明によれば、複数の用紙片が巻き折りされて形成されるリーフレットＲの表面の用紙片に打ち抜き孔８を有する吊り下げ片７を連接することによって、通常のボトルネッカーと同様にボトルネックから吊り下げてＰＯＰ的な利用ができ、ジッパー６を裏面の用紙片に設けることによって、封止されているリーフレットＲを容易に開封することができ，さらに巻き折りされているリーフレットＲを開封すれば、総ての情報を一覧することが可能となり、さらにリーフレットＲの一部をハガキＨとして切り取って利用することが出来るので、メーカーあるいはディーラーとしては、消費者の当該新商品に関する購入の動機、嗜好、セールスキャンペーンの一環として行うイベントや懸賞への参加希望等に関する消費者情報を商品販売と同時に知ることができる。
【図面の簡単な説明】
【図１】本発明によるボトルネッカーの一実施形態を示す使用状態説明図
【図２】第１実施例によるボトルネッカーのブランク展開図
【図３】第１実施例によるボトルネッカーの最終形状、組み立て、開封説明図
【図４】第２実施例によるボトルネッカーのブランク展開図
【図１】
0003883671.tif 000002
【図２】
0003883671.tif 000003
【図３】
0003883671.tif 000004
【図４】
0003883671.tif 000005